(57)【要約】【課題】複数の給湯装置をネットワークを介して外部サーバに接続し、それら給湯装置の複数のポンプやファンを駆動する複数の電動モータの回転数データと複数の振動データを用いて判定閾値を適切な値に設定可能にした温水システムを提供することである。【解決手段】ネットワーク(51)を介して複数の貯湯給湯装置(1)に接続された外部サーバ(52)は、複数の貯湯給湯装置(1)から送信された運転情報を記憶すると共に、回転数データと振動データに関する相関分布を作成し、その相関分布を用いて電動モータの異常発生を判定するための判定閾値を設定し、その判定閾値を複数の貯湯給湯装置(1)の制御ユニット(44)に送信する。【選択図】図３
2020051876.tif 000002
【特許請求の範囲】
【請求項１】
外部サーバと、この外部サーバにネットワークを介して接続された複数の給湯装置とを備えた温水システムであって、
前記給湯装置は、外気温度センサや給水温度センサを含む複数の温度センサと、器具内を流れる温水流量を検知する流量検知センサと、ポンプやファンを駆動する電動モータの回転数を検知する回転数センサと、器具の振動を検知する振動センサとを備えると共に、
前記センサ類によって検知された温度データ、前記流量データ、回転数データ及び振動データを含む運転情報を前記サーバに送信可能に構成された制御手段を備え、
前記外部サーバは、複数の給湯装置から送信された前記運転情報を記憶すると共に、回転数データと振動データに関する相関分布を作成し、その相関分布を用いて前記電動モータの異常発生を判定するための判定閾値を設定し、その判定閾値を前記制御手段に送信することを特徴とする温水システム。
【請求項２】
前記制御手段は、前記電動モータの異常発生を判定するための予め設定された判定閾値を有し、前記外部サーバから新たな判定閾値が送信された際には、その新たな判定閾値でもって前記予め設定された判定閾値を更新することを特徴とする請求項１に記載の温水システム。
【請求項３】
前記複数の給湯装置は、一棟の集合住宅に設置された給湯装置を対象としてグループ化されており、前記外部サーバは、前記グループ化された複数の給湯装置を対象として前記相関分布を作成することを特徴とする請求項１又は２に記載の温水システム。
【請求項４】
請求項１〜３の何れか１項に記載の温水システムに適用されることを特徴とする外部サーバ。
【発明の詳細な説明】
【技術分野】
【０００１】
本発明は、ネットワークを介して外部サーバに接続された複数の給湯装置を備えた温水システム及びこの温水システムに適用される外部サーバに関し、この温水システムの複数のポンプの回転数データと振動データを用いてポンプの異常を判定可能にしたものに関する。
【背景技術】
【０００２】
給湯装置は、複数のポンプやファンと、それらを駆動する複数の電動モータを有し、
これら電動モータが長期間使用されると摺動部の摩耗等により故障し、異常に振動しやすくなる。上記の電動モータの異常検知が遅れると、電動モータに関連する機器の故障が連鎖的に発生し易くなり、メンテナンスコストが高価になる。
【０００３】
給湯装置のポンプやファン等を駆動する電動モータの回転数や、給湯装置の構成機器の振動から電動モータの異常を検知する種々の技術が提案されている。
特許文献１に記載の摺動部の異常診断システムにおいては、圧縮機にＡＥ信号を検知するＡＥセンサと、回転振動信号を検知する加速度ピックアップとを組み込んだ複合的センサを取付けて、ＡＥ信号と回転振動信号を取得し、これら信号を処理して摺動部の異常を診断している。
【０００４】
特許文献２に記載のヒートポンプ式給湯装置においては、異常振動の発生を回避するように圧縮空気の回転数を制御し、その回避回数から防振性能の低下を検知している。
【０００５】
ここで、給湯装置のポンプやファンを駆動する電動モータの回転数データと、機器の振動データとを用いて電動モータの異常を判定する場合、判定閾値をどのような値に設定するかが非常に重要である。判定閾値が過小である場合には正常な電動モータを異常と判定するし、判定閾値が過大である場合には異常な電動モータを異常と判定することができない。他方、判定閾値を適切な値に設定する場合には、異常が発生した電動モータだけでなく、近い将来に異常が発生する電動モータをも適切に検知することができる。
【先行技術文献】
【特許文献】
【０００６】
【特許文献１】特公平６−９２９１３号公報
【特許文献２】特許第４６６３５３４号公報
【発明の概要】
【発明が解決しようとする課題】
【０００７】
１組の給湯装置に組み込まれているポンプやファンの数は少数で、電動モータの回転数データ等のデータ数が少数であるため、回転数データや振動データを統計的に処理して判定閾値を適切な値に設定することは非常に難しい。
【０００８】
本発明の目的は、複数の給湯装置をネットワークを介して外部サーバに接続し、それら給湯装置に装備された複数のポンプやファンを駆動する複数の電動モータの回転数データと複数の振動データを用いて判定閾値を適切な値に設定可能にした温水システム及びこの温水システムに適用される外部サーバを提供することである。
【課題を解決するための手段】
【０００９】
請求項１の温水システムは、外部サーバと、この外部サーバにネットワークを介して接続された複数の給湯装置とを備えた温水システムであって、前記給湯装置は、外気温度センサや給水温度センサを含む複数の温度センサと、器具内を流れる温水流量を検知する流量検知センサと、ポンプやファンを駆動する電動モータの回転数を検知する回転数センサと、器具の振動を検知する振動センサとを備えると共に、前記センサ類によって検知された温度データ、前記流量データ、回転数データ及び振動データを含む運転情報を前記サーバに送信可能に構成された制御手段を備え、前記外部サーバは、複数の給湯装置から送信された前記運転情報を記憶すると共に、回転数データと振動データに関する相関分布を作成し、その相関分布を用いて前記電動モータの異常発生を判定するための判定閾値を設定し、その判定閾値を前記制御手段に送信することを特徴としている。
【００１０】
上記の構成によれば、外部サーバは、複数の給湯装置から送信された前記運転情報に含まれる回転数データと振動データに関する相関分布を作成し、その相関分布を用いて前記電動モータの異常発生を判定するための判定閾値を設定し、その判定閾値を複数の給湯装置の各制御手段に送信するため、複数の給湯装置に装備された多数のポンプやファンを駆動する多数の電動モータの回転数データ及び振動データを統計的に処理して、適切な判定閾値を設定することができる。
また、ポンプ類は、経年的に性能が低下していくが、この経年変化に応じた運転情報を時々刻々取得して、判定閾値を設定していくため判定閾値の信頼性を高めることができる。
【００１１】
請求項２の温水システムは、請求項１において、前記制御手段は、前記電動モータの異常発生を判定するための予め設定された判定閾値を有し、前記外部サーバから新たな判定閾値が送信された際には、その新たな判定閾値でもって前記予め設定された判定閾値を更新することを特徴としている。
【００１２】
上記の構成によれば、各給湯装置の制御手段は、外部サーバから新たな判定閾値が送信された際には、その新たな判定閾値でもって予め設定された判定閾値を更新するため、複数の給湯装置における複数の電動モータに対する異常判定の信頼性を高めることができる。
【００１３】
請求項３の温水システムは、請求項１又は２において、前記複数の給湯装置は、一棟の集合住宅に設置された給湯装置を対象としてグループ化されており、前記外部サーバは、前記グループ化された複数の給湯装置を対象として前記相関分布を作成することを特徴としている。
【００１４】
上記の構成によれば、複数の給湯装置は、一棟の集合住宅に設置された給湯装置を対象としてグループ化されており、外部サーバは、そのグループ化された複数の給湯装置を対象として前記相関分布を作成するため、ポンプやファンの種類が制約されてお多種類にバラつくことがないから、判定閾値の信頼性を高めることができる。
請求項４の外部サーバは、請求項１〜３の何れか１項に記載の温水システムに適用されることを特徴としている。
上記の構成によれば、複数の給湯装置から送信される運転情報を用いて判定閾値を設定するため判定閾値の信頼性を高めることができる。
【発明の効果】
【００１５】
以上説明したように、本発明は種々の作用、効果を奏する。
【図面の簡単な説明】
【００１６】
【図１】本発明の実施形態に係る貯湯給湯装置の構成図である。
【図２】貯湯給湯装置の制御系の一部のブロック図である。
【図３】ネットワークに接続された温水システムの構成図である。
【図４】運転情報取得制御のフローチャートである。
【図５】ポンプの異常判定制御のフローチャートである。
【図６】判定閾値演算送信制御のフローチャートである。
【図７】ポンプ回転数と振動振幅の相関分布の線図である。
【発明を実施するための形態】
【００１７】
以下、本発明を実施するための形態について図面に基づいて説明する。
【００１８】
最初に、ヒートポンプ式貯湯給湯装置１の全体構成について説明する。
図１に示すように、貯湯給湯装置１は、貯湯給湯ユニット２と、ヒートポンプ熱源機３とを有し、貯湯給湯ユニット２は、貯湯タンク４、ガス燃焼式の補助熱源機５、その他の機器（配管、バルブ、温度センサ等々）と、貯湯給湯ユニット２を覆う外装ケース２ａとを備えている。この貯湯給湯ユニット２は、ヒートポンプ熱源機３を駆動して加熱した湯水を貯湯タンク４に貯留し、この貯留した湯水を給湯や浴槽６の湯張りに使用する。また、必要に応じて貯湯タンク４から取り出した湯水を補助熱源機５により加熱して給湯や風呂追焚や暖房等に使用可能である。
【００１９】
貯湯タンク４の上部には、貯湯タンク４に貯留した湯水を出湯するための出湯通路７が接続されている。貯湯タンク４の下部には、貯湯タンク４に上水源から上水を供給するための給水通路８が接続されている。この給水通路８から分岐したバイパス通路９が出湯通路７に接続され、この接続部に出湯通路７の湯水とバイパス通路９の上水を混合する混合比率を調整可能な湯水混合弁１０が介装されている。
【００２０】
湯水混合弁１０には給湯通路１１が接続され、湯水混合弁１０で混合された湯水は、給湯通路１１を流通して図示外の給湯栓等に給湯可能であり、給湯通路１１から分岐して追焚通路１２に接続する湯張り通路１３を介して浴槽６に湯張り可能である。湯張り通路１３には、湯張り用の開閉弁１３ａが設けられている。
【００２１】
貯湯タンク４の下部にはヒートポンプ熱源機３に湯水を供給する往き側湯水通路１６が接続され、このヒートポンプ熱源機３で加熱された湯水を貯湯タンク４に戻す戻り側湯水通路１７が貯湯タンク４の上部に接続されて、貯湯タンク４とヒートポンプ熱源機３の間で湯水が循環可能な循環加熱通路１５が形成されている。
【００２２】
往き側湯水通路１６には、貯湯タンク４からヒートポンプ熱源機３に入水する湯水の入水温度を検知する入水温度センサ１８と循環ポンプ１９と切換弁２０が接続されている。戻り側湯水通路１７には、ヒートポンプ熱源機３で加熱された湯水の温度を検知する加熱温度センサ２１が接続され、往き側湯水通路１６と戻り側湯水通路１７とを接続するバイパス通路２２が設けられ、往き側湯水通路１６とバイパス通路２２との接続部には切換弁２０が接続されている。
【００２３】
ヒートポンプ熱源機３の起動直後等の加熱温度が低い場合に、切換弁２０を切換えてヒートポンプ熱源機３で加熱した湯水を再びヒートポンプ熱源機３に送って再加熱することができる。ヒートポンプ熱源機３は、圧縮機と、凝縮熱交換器と、膨張弁と、蒸発熱交換器とを冷媒配管により接続してなるヒートポンプ回路を有する一般的なものである。尚、蒸発熱交換器の近傍には外気温センサ３ｂが設けられている。
【００２４】
貯湯タンク４の外周には、貯留された湯水の温度を検知する複数の温度センサ４ａ〜４ｄが上下方向に所定間隔おきに設けられている。これら温度センサ４ａ〜４ｄ及び貯湯タンク４は図示外の保温材により覆われている。出湯通路７には、湯水混合弁１０に供給される湯水の出湯温度を検知するための出湯温度センサ７ａが接続されている。給水通路８には、上水源から供給される上水の温度を検知するための給水温度センサ８ａが接続されている。給湯通路１１のうちの湯水混合弁１０よりも下流側には、給湯する湯水の流量を検出する流量計１１ｂと、給湯温度を検知するための給湯温度センサ１１ａが接続されている。
【００２５】
貯湯タンク４の湯水を補助熱源機５で加熱するための補助加熱通路２３が、出湯通路７から分岐して補助熱源機５に接続されている。補助熱源機５で加熱した湯水を出湯するための補助出湯通路２４には調整弁２５が介装され、この補助出湯通路２４は出湯通路7に接続されている。補助出湯通路２４には温度センサ２４ａが設けられている。調整弁２５は、補助出湯通路２４を通って出湯通路７に供給される湯水流量を調整する。補助加熱通路２３には、三方弁２６と補助熱源機５に湯水を送るためのポンプ２７が介装されている。
【００２６】
補助出湯通路２４から分岐した熱交換通路２８には三方弁２６が接続され、熱交換通路２８には温度センサ２８tが介装されている。三方弁２６は、貯湯タンク４の湯水又は熱交換通路２８の湯水を補助熱源機５に供給可能となるように切換えられる。熱交換通路２８の上流側部分は、補助出湯通路２４から分岐した上流側通路２８ａ，２８ｂを有し、上流側通路２８ａには風呂追焚用の熱交換器２９と開閉弁３０とが介装されている。上流側通路２８ｂには暖房用の熱交換器３７と開閉弁３８とが介装されている。
【００２７】
追焚通路１２は循環ポンプ３１を有すると共に熱交換器２９に接続され、浴槽６から導入した湯水を熱交換器２９で加熱してから浴槽６へ戻すことで、追い焚き可能になっている。追焚通路１２には浴槽の湯水の温度を検出する湯水温度センサ１４が設けられている。
【００２８】
暖房端末と熱交換器３７との間で熱媒を循環させる熱媒通路は、熱媒戻り通路３９と、熱媒往き通路４０，４１を有する。熱媒戻り通路３９にはポンプ４７が介装されている。熱媒往き通路４０は高温用暖房端末に接続され、熱媒往き通路４１は床暖房等の低温用暖房端末に接続されている。熱媒往き通路４１は逆止弁４２を介して熱媒往き通路４０に接続されると共に流量調整弁４３を介して熱媒戻り通路３９に接続されている。
【００２９】
給水通路８には、逆止弁３２と、給水通路８から分岐して熱交換通路２８に接続する分岐通路部３３が接続されている。バイパス通路９には逆止弁３４が介装され、バイパス通路９から分岐して給湯通路１１に接続された高温出湯回避通路３５には、高温出湯回避電磁弁３６が介装されている。
【００３０】
以上説明した種々の機器（ポンプ、弁類、センサ類）は制御ユニット４４に電気的に接続され、制御ユニット４４により制御される。この制御ユニット４４は、貯湯給湯ユニット２を操作する操作端末４５と、ヒートポンプ熱源機３の制御部３ａと、補助熱源機５と、浴室の操作端末４６等に接続されている。尚、制御ユニット４４の回路基板には貯湯給湯ユニット２の振動を検出する振動センサ４８が設けられ、制御ユニット４４に接続されている。
【００３１】
次に、制御ユニット４４と、この制御ユニット４４に接続されているポンプやセンサ類に関する制御系について説明する。
図２に示すように、制御ユニット４４には、センサ類として、給水温度センサ８ａ、外気温センサ３ｂ、流量計１１ｂ、温度センサ４ａ〜４ｄ、湯水温度センサ１４、入水温度センサ１８、加熱温度センサ２１、温度センサ２４ａ，２８ｔ、出湯温度センサ７ａ、給湯温度センサ１１ａ、振動センサ４８等が接続されている。
【００３２】
また、制御ユニット４４には、ポンプ類として、循環ポンプ１９，３１，ポンプ２７，４７が接続されている。これらポンプ１９，２７，３１，４７はサーボモータで駆動されるポンプであり、各サーボモータの電動モータ（Ｍ）とエンコーダ（Ｅ）が制御ユニット４４に接続されている。尚、上記のエンコーダ（Ｅ）がポンプの回転数を検出する回転数センサに相当する。尚、制御ユニット４４にはバルブ類も接続されているが図示省略する。
【００３３】
次に、温水システム５０について説明する。
図３に示すように、この温水システム５０は、外部サーバ５２と、この外部サーバ５２にインターネット通信網５１（ネットワーク）を介して接続された複数の貯湯給湯装置１とを備えている。複数の貯湯給湯装置１は、一棟の集合住宅に設置された貯湯給湯装置１を対象としてグループされており、以下に説明する制御は、このグループ化された複数の貯湯給湯装置１を対象とするものである。
【００３４】
各貯湯給湯装置１の制御ユニット４４は、熱源機３の制御部３ａと、操作端末４５,４６に接続され、台所用操作端末４５は、回線終端装置５３を介してインターネット通信網５１に接続されている。前記の外部サーバ５２は、多量のデータを記憶するメモリと、種々の制御プログラムに基づいて演算処理する機能を有するものである。
【００３５】
次に、各貯湯給湯装置１の制御ユニット４４が実行する運転情報取得制御について説明する。図４に示すように、所定のサンプリング周期（例えば１時間間隔）になると（Ｓ１：Ｙｅｓ）、各種温度センサ、外気温センサ、流量計からの検出データを読み込んで、制御ユニット４４内の所定のメモリに記憶する（Ｓ２）。
【００３６】
次に、各ポンプから発生する振動のデータを取得するため、各ポンプ１９，２７，３１，４７が単独運転されていることを条件として、そのポンプ１９，２７，３１，４７の回転数データと振動データを次のように取得する。
【００３７】
Ｓ３においてポンプ１９が単独運転中か否か判定し、その判定がＹｅｓのときはＳ４において、ポンプ１９の回転数データと振動センサ４８の振動データを読み込んで、それら回転数データと振動データをメモリの専用のエリアに記憶する。Ｓ４の終了後又はＳ３の判定がＮｏのときはＳ５移行する。
【００３８】
次に、Ｓ５においてポンプ２７が単独運転中か否か判定し、その判定がＹｅｓのときはＳ６において、ポンプ２７の回転数データと振動センサ４８の振動データを読み込んで、それら回転数データと振動データをメモリの専用のエリアに記憶する。Ｓ６の終了後又はＳ５の判定がＮｏのときはＳ７移行する。
【００３９】
次に、Ｓ７においてポンプ３１が単独運転中か否か判定し、その判定がＹｅｓのときはＳ８において、ポンプ３１の回転数データと振動センサ４８の振動データを読み込んで、それら回転数データと振動データをメモリの専用エリアに記憶する。Ｓ８の終了後又はＳ７の判定がＮｏのときはＳ９移行する。
【００４０】
次に、Ｓ９においてポンプ４７が単独運転中か否か判定し、その判定がＹｅｓのときはＳ１０において、ポンプ４７の回転数データと振動センサ４８の振動データを読み込んで、それら回転数データと振動データをメモリの専用エリアに記憶する。Ｓ１０の終了後又はＳ９の判定がＮｏのときはＳ１１へ移行する。
【００４１】
次に、Ｓ１１においては、所定の送信タイミング（例えば６時間間隔）になったか否か判定し、その判定がＹｅｓのときはＳ１２において、貯湯給湯装置１の運転情報である、各種温度、外気温、流量のデータ及び４つのポンプ１９，２７，３１，４８の回転数と振動振幅のデータを外部サーバ５２へ送信し、その後制御はリターンする。Ｓ１１の判定がＮｏの場合もリターンする。
【００４２】
次に、各制御ユニット４４が実行するポンプの異常判定制御について説明する。
図５に示すように、Ｓ２０において、最後に外部サーバ５２へ送信したポンプ１９の回転数と振幅のデータ（複数回のサンプリング分のデータ）をメモリから読み込み、次にＳ２１において、振幅は判定閾値以下か否か判定し、その判定がＹｅｓのときはＳ２３へ移行する。尚、デフォルトの判定閾値は、制御ユニット４４に予め設定されているが、Ｓ３３において逐次更新される。
【００４３】
尚、図７に基づいて後述する第２の特性線Ｖ＝ａＮ＋ｂが上記の判定閾値に相当するものであり、ポンプ回転数Ｎをパラメータとする判定閾値（振幅Ｖ）であり、振動振幅Ｖが第２の特性線Ｖ＝ａＮ＋ｂよりも下方にある場合には判定閾値以下とされる。
Ｓ２１の判定がＮｏの場合は、Ｓ２２においてポンプ１９が異常であると判定して操作端末４５の画面に、ポンプ１９が異常である旨の報知が表示され、Ｓ２２からＳ２３へ移行する。
【００４４】
次に、Ｓ２３において、最後に外部サーバ５２へ送信したポンプ２７の回転数と振幅のデータ（複数回のサンプリング分のデータ）をメモリから読み込み、次にＳ２４において、振幅は判定閾値以下か否か判定し、その判定がＹｅｓのときはＳ２６へ移行する。尚、Ｓ２４の判定閾値はＳ２１の判定閾値と同じのものである。Ｓ２４の判定がＮｏの場合は、Ｓ２５においてポンプ２７が異常であると判定して操作端末４５の画面に、ポンプ２７が異常である旨の報知が表示され、Ｓ２５からＳ２６へ移行する。
【００４５】
次に、Ｓ２６において、最後に外部サーバ５２へ送信したポンプ３１の回転数と振幅のデータ（複数回のサンプリング分のデータ）をメモリから読み込み、次にＳ２７において、振幅は判定閾値以下か否か判定し、その判定がＹｅｓのときはＳ２９へ移行する。尚、Ｓ２７の判定閾値はＳ２１の判定閾値と同じのものである。Ｓ２７の判定がＮｏの場合は、Ｓ２８においてポンプ３１が異常であると判定して操作端末４５の画面に、ポンプ３１が異常である旨の報知が表示され、Ｓ２８からＳ２９へ移行する。
【００４６】
次に、Ｓ２９において、最後に外部サーバ５２へ送信したポンプ４７の回転数と振動振幅のデータ（複数回のサンプリング分のデータ）をメモリから読み込み、次にＳ３０において、振幅は判定閾値以下か否か判定し、その判定がＹｅｓのときはＳ３２へ移行する。尚、Ｓ３０の判定閾値はＳ２１の判定閾値と同じのものである。Ｓ３０の判定がＮｏの場合は、Ｓ３１においてポンプ４７が異常であると判定して操作端末４５の画面に、ポンプ４７が異常である旨の報知が表示され、Ｓ３１からＳ３２へ移行する。
【００４７】
次に、Ｓ３２において、外部サーバ５２から判定閾値のデータを受信したか否か判定し、その判定がＹｅｓのときは、受信したデータでもって判定閾値を更新し、その後リターンする。尚、Ｓ３２の判定がＮｏの場合もリターンする。
【００４８】
次に、外部サーバ５２が実行する判定閾値演算送信制御について説明する。
図６に示すように、Ｓ４０において各制御ユニット４４からの送信データ（運転情報）を受信しメモリに記憶する。
【００４９】
次に、Ｓ４１において複数の貯湯給湯装置１の全部のポンプについて、上記の受信データを用いて回転数Ｎと振動振幅Ｖのデータテーブルを更新し、メモリに記憶する。
このデータテーブルは、各貯湯給湯装置１におけるポンプ１９，２９，３１，４７別に分類して回転数データと振動データを更新しながら格納されている。これは、後述のように異常と判定されたポンプを特定可能とするためである。
【００５０】
次に、Ｓ４２において判定閾値演算タイミング（例えば１日間隔）か否か判定し、その判定がＮｏの場合はリターンし、Ｓ４２の判定がＹｅｓの場合はＳ４３において、前記データテーブルに格納されている最新の所定期間の回転数Ｎと振動振幅Ｖのデータを用いて、図７に示すような第１の特性線Ｖ＝ａＮ、第２の特性線Ｖ＝ａＮ＋ｂを演算し、メモリに記憶する。尚、第１の特性線が、「回転数データと振動データに関する相関分布」に相当し、第２の特性線が、回転数をパラメータとする振動振幅の「判定閾値」に相当する。
【００５１】
ここで、図７において、第１の特性線Ｖ＝ａＮは、多数の点（Ｎ，Ｖ）の平均値を表す特性であり、傾きａは多数の点（Ｎ，Ｖ）における傾きＶ／Ｎの平均値として演算することができる。
【００５２】
本実施形態の場合、多数の点（Ｎ，Ｖ）のうちの所定比率（例えば、９８％）の点が第２の特性線Ｖ＝ａＮ＋ｂの下側に位置するように定数ｂの値が演算される。つまり、第２の特性線Ｖ＝ａＮ＋ｂの上側に位置する点（Ｎ，Ｖ）は振幅が過大であるため故障した異常なポンプであるとする。
【００５３】
次に、Ｓ４４において、送信タイミング（例えば１日間隔）か否か判定し、その判定がＮｏの場合はリターンし、Ｓ４４の判定がＹｅｓの場合は第２の特性線Ｖ＝ａＮ＋ｂの係数ａと定数ｂを各制御ユニット４４へ送信し、その後リターンする。
【００５４】
次に、以上説明した温水システム５０の作用、効果について説明する。
外部サーバ５２は、複数の貯湯給湯装置１から送信された運転情報に含まれる回転数データと振動データに関する相関分布を作成し、その相関分布を用いてポンプを駆動する電動モータの異常発生を判定するための判定閾値を設定し、その判定閾値を複数の貯湯給湯装置１の各制御ユニット４４に送信するため、多数の貯湯給湯装置１に装備された多数のポンプを駆動する多数の電動モータの回転数データ及び振動データを統計的に処理して、適切な判定閾値を設定することができる。
【００５５】
また、ポンプ類は、経年的に性能が低下していくが、この経年変化に応じた運転情報を時々刻々取得して、判定閾値を設定していくため、判定閾値の信頼性を高めることができる。また、前記の第２の特性線の定数ｂを決める際の所定比率を適切な値（例えば、９６％）に設定する場合には、異常が発生した電動モータの他に、近い将来に異常が発生する可能性のある電動モータをも検出することが可能になる。
【００５６】
各貯湯給湯装置１の制御ユニット４４は、外部サーバ５２から新たな判定閾値が送信された際には、その新たな判定閾値でもって予め設定された判定閾値を更新するため、複数の貯湯給湯装置１における複数の電動モータに対する異常判定の信頼性を高めることができる。
【００５７】
複数の貯湯給湯装置１は、一棟の集合住宅に設置された貯湯給湯装置を対象としてグループ化されており、外部サーバ５２は、そのグループ化された複数の貯湯給湯装置１を対象として相関分布を作成するため、ポンプやファンの種類が制約されて多種類にバラつくことがないから、判定閾値の信頼性を高めることができる。
【００５８】
次に、前記実施形態を部分的に変更する例について説明する。
１）前記実施形態では、ポンプ類を駆動する電動モータを対象にし、ファンを駆動する電動モータについての記載を省略したが、補助熱源機５に装備されたファンを駆動する電動モータも対象とすることができる。
【００５９】
２）前記実施形態では、電動モータの設置後の期間（稼働期間）に関係なしに相関分布を作成したが、例えば稼働期間、０〜３年未満、３年以上〜６年未満、６年以上〜のように、稼働期間をパラメータとしてグループ化した電動モータ毎に相関分布を作成し、稼働期間の長いグループの判定閾値ほど小さく設定するようにしてもよい。こうすると、稼働期間を加味して異常発生を判定することができる。
【００６０】
３）前記実施形態では、１棟の集合住宅に設置された複数の貯湯給湯装置のグループを対象として前記相関分布を作成したが、これに限るものではなく、複数棟の集合住宅に設置された複数の貯湯給湯装置のグループを対象として前記相関分布を作成してもよく、また、新規の分譲団地の複数の住宅に設置された複数の貯湯給湯装置のグループを対象として前記相関分布を作成してもよく、その他のグルーピング手法でグループ化された複数の貯湯給湯装置のグループを対象として前記相関分布を作成してもよい。
【００６１】
４）前記貯湯給湯装置１は一例を示すもので、その他の形式や種類の給湯装置にも本発明を適用可能である。
５）その他、当業者ならば、前記実施形態に種々の変更を付加して実施可能であり、本発明はそのような変更形態も包含するものである。
【符号の説明】
【００６２】
１      貯湯給湯装置
３ｂ      外気温センサ
４ａ〜４ｄ      温度センサ
７ａ      出湯温度センサ
８ａ      給水温度センサ
１１ａ    給湯温度センサ
１１ｂ      流量計
１４      湯水温度センサ
１８      入水温度センサ
２１      加熱温度センサ
２４ａ，２８ｔ    温度センサ
１９，２７，３１，４７      ポンプ
４４      制御ユニット
４８      振動センサ
５０      温水システム
５１      インターネット通信網
５２      外部サーバ
【図１】
2020051876.tif 000003
【図２】
2020051876.tif 000004
【図３】
2020051876.tif 000005
【図４】
2020051876.tif 000006
【図５】
2020051876.tif 000007
【図６】
2020051876.tif 000008
【図７】
2020051876.tif 000009